【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
ケラチン物質を処置するための化粧料組成物の製法であって、少なくとも0.3MPa(3 bar)なる圧力下で、少なくとも蒸気を含む流体を、固体又はペースト状態にある少なくとも1種のエステルに浸透させる工程を含むことを特徴とする、上記方法。
【請求項２】
該流体が、場合により液体としての水を含む蒸気、又は場合により液体としての水を含む蒸気と、1種又はそれ以上の化粧学的に許容される液状及び/又は気体状の溶媒との混合物からなる、請求項1記載の方法。
【請求項３】
該エステルが、直鎖又は分岐C7-C30モノカルボン酸と直鎖又は分岐C8-C30モノアルコールとのエステル；直鎖又は分岐C7-C30不飽和モノカルボン酸又は芳香族C6-C30モノカルボン酸と直鎖又は分岐C8-C30モノアルコールとのエステル；直鎖又は分岐C10-C30モノカルボン酸とエチレングリコールとのモノ-及びジ-エステル；直鎖又は分岐の、飽和又は不飽和のC10-C30モノカルボン酸とC3-ポリオールとのモノ-、ジ-又はトリ-エステル；直鎖又は分岐、飽和又は不飽和の、又は芳香族のC7-C30モノカルボン酸と非-ポリオキシアルキレン化C4-C50ポリオールとのモノ-又はポリエステル；直鎖又は分岐、飽和又は不飽和、芳香族又は非-芳香族系の、ヒドロキシル化又は非-ヒドロキシル化C4-C30ジカルボン酸又はトリカルボン酸と、直鎖又は分岐のC7-C50モノオール又はポリオールとのモノ-、ジ-又はトリ-エステル；ポリオキシアルキレン化又はポリグリセロール化された酸及び/又はアルコールのモノ-又はポリエステル、ここで該酸の非-オキシアルキレン化又は非-グリセロール化部分は、C10-C30のものである；水素化オイル又は水素化ワックス；直鎖又は分岐、飽和又は不飽和C7-C30モノカルボン酸とヒドロキシ酸とのエステル化によって得られる酸の塩；モノマーの少なくとも1種が、エステルであるポリマー；及び少なくとも1種のポリ酸と、少なくとも1種のポリオールとの重縮合により得られるポリマーから選択される、請求項1又は2記載の方法。
【請求項４】
該エステルがセチルパルミテート、ミリスチルミリステート、ステアリルヘプタノエート、イソステアリルベヘネート、セチルイソオクタノエート、2-デシルミリスチル2-デシルミリステート及びベヘニルベヘネート；ステアリルベンゾエート、セチルリシノレエート、2-オクチルドデシルエルケート及びベヘニルベンゾエート；エチレングリコールモノステアレート、エチレングリコールジステアレート及びエチレングリコールジミリステート；グリセリルモノ-、ジ-及びトリ-ステアレート、グリセリルモノ-、ジ-及びトリ-ベヘネート、プロピレングリコールモノミリステート、グリセリルパルミトステアレート、グリセリルモノオレエート、グリセリルトリステアロベヘネート、グリセリルトリウンデカノエート、シア脂、木蝋、イリッペ脂及びココアバター；スクロースベンゾエート、ペンタエリスリチルテトライソステアレート、ペンタエリスリチルテトラベヘネート、ペンタエリスリチルテトララウレート、ソルビタンパルミテート、O-オクタノイル-6'-D-マルトース、ソルビタンモノステアレート、スクロースラウレート、ネオペンチルグリコールジベンゾエート、ペンタエリスリチルテトラベンゾエート、ココナッツ脂肪酸とソルビトールとのエステル、ジトリメチロールプロパンテトラステアレート、ジペンタエリスリチルヘキサステアレート、メチルグルコースモノ-及びジ-ステアレート、スクロースジラウレート、デキストリンパルミテート、スクロースモノ-及びジパルミトステアレート、メチルグルコースセスキステアレート及びヘキシルグルコシドモノココエート；ジベヘニルフマレート、タローモノグリセリドのクエン酸エステル、ジココイル/ジステアリル/ペンタエリスリチルシトレート、ジミリスチルタルタレート、ジヘキシル、ジオクチル、ジラウリル又はジセチルムケート、ジラウリルシトレート及びトリラウリルシトレート；80Mのエチレンオキシド(又はEO)を含むホホバ油及び120MのEOを含むホホバワックス、3MのEOを含有するミリスチルミリステート、トリエチレングリコールモノステアレート及びジステアレート、8、25、30又は100MのEOを含むポリエチレングリコールモノステアレート、8、150及び250MのEOを含有するポリエチレングリコールジステアレート、150MのEOを含むポリエチレングリコールジベヘネート、90MのEOを含むポリエチレングリコールジイソステアレート、6、8又は12MのEOを含むオキシエチレン化蜜蝋、4MのEOを含むオキシエチレン化ソルビタンモノステアレート、200MのEOを含むオキシエチレン化ソルビタントリイソステアレート、6MのEOを含むオキシエチレン化ソルビタンヘキサステアレート、120MのEOを含むオキシエチレン化メチルグルコシドジオレエート、75MのEOを含むオキシエチレン化シア脂、25MのEOを含むオキシエチレン化ヒマシ油、又は6Mのグリセロールを含むポリグリセロール化パルミトステアレート；水素化された菜種油、マカダミア油、ヒマシ油、綿実油、大豆油、ホホバ油、パーム油、米糠油又はヒマワリ油、及び水素化されたヒマワリワックス；ナトリウムラウロイルラクチレート及びナトリウムベヘノイルラクチレート；ポリ(メチルメタクリレート)、ポリ(ビニルアセテート)、ポリカプロラクトン、ポリ(ステアリルアクリレート)及びポリ(エチルアクリレート)；酢酸ビニ��とエチレンとのコポリマー、酢酸ビニル/ビニルベルサテート/ブチルアクリレートコポリマー、アクリル酸/ステアリルメタクリレートコポリマー、N-オクチルアクリルアミド/メチルメタクリレート/ヒドロキシプロピルメタクリレート/アクリル酸/t-ブチルアミノエチルメタクリレートコポリマー、乳酸/ビニルピロリドン/ラウリルメタクリレートコポリマー；及びポリ(ネオペンチルグリコールテレフタレート)、ジグリコール/シクロヘキサンジメタノール/イソフタレート/スルホイソフタレートポリマー、ポリグリセロールとエイコサジオイック酸とのポリエステル、トリメチロールプロパンとジメチロールプロピオン酸とのポリエステル、ポリエチレングリコールとアジピン酸とのポリマー、及びセバシン酸とブチレングリコールとのポリマーから選択される、請求項3記載の方法。
【請求項５】
固体又はペースト形状にある該エステルを、少なくとも1種のアジュバントとの混合物として使用する、上記請求項の何れか1項に記載の方法。
【請求項６】
該アジュバントが、クレー、塩、アニオン性、ノニオン性、カチオン性又は双性イオン性界面活性剤、天然又は合成増粘剤、場合により変性された澱粉、ガラスビーズ、シリカ、ナイロン、アルミナ、二酸化チタン、ゼオライト、ポリ(メチルメタクリレート) (PMMA)、キトサン、マルトデキストリン、シクロデキストリン、モノ-又はジ-サッカライド、酸化亜鉛、酸化ジルコニウム、シリカビーズ、タルク、ポリアスパラギン酸、ホウ珪酸塩、特にホウ珪酸カルシウム、ポリエチレン、綿、ポリテトラフルオロエチレン(PTFE)、セルロース及びその誘導体、超吸収性化合物、炭酸マグネシウム、炭酸カルシウム、コーン種子、ポリアクリルアミド、多孔質ヒドロキシアパタイト、絹、コラーゲン、鋸屑、海草粉末、小麦、米、エンドウ、ルピナス種子、大豆又は大麦の粗粉又は抽出物、架橋したポリビニルピロリドン、アルギン酸カルシウム、活性炭素、及びポリ(ビニリデンクロリド/アクリロニトリル)粒子から選択される、請求項5記載の方法。
【請求項７】
該エステルが、固体又はペースト形状にあるエステル及びアジュバントの全質量を基準として、0.5〜99質量％なる範囲の量で存在する、請求項5又は6記載の方法。
【請求項８】
得られる化粧学的処置組成物が、場合により、該エステル及び該流体の成分に加えて、固体又はペースト形状の混合物として存在する、アジュバントの全て又はその幾分かをも含む、請求項5〜7の何れか1項に記載の方法。
【請求項９】
該浸透工程を、0.3〜3 MPa (3〜30 bar)なる範囲の圧力下にある流体を用いて行う、上記請求項の何れか1項に記載の方法。
【請求項１０】
上記請求項の何れか1項に記載の方法によって得ることのできる、ケラチン物質を処置するための化粧料組成物。
【請求項１１】
保存剤を含まない、請求項10記載のケラチン物質を処置するための化粧料組成物。
【請求項１２】
化粧処置用組成物を、請求項1〜9の何れか1項に記載の方法によって製造し、この組成物をケラチン物質に適用することを特徴とする、ケラチン物質を処置するための化粧学的方法。
【請求項１３】
該組成物を、ヒトの介入を全く必要としないデバイスによって、該ケラチン物質に適用する、請求項12記載のケラチン物質を処置するための化粧学的方法。
【請求項１４】
該組成物の適用前に、請求項1〜9の何れか1項に記載の方法によって製造した、該化粧処置用の組成物を、化粧学的に許容される媒体及び/又は化粧品において使用されている1種又はそれ以上の添加物と混合する、請求項12記載のケラチン物質を処置するための化粧学的方法。
【請求項１５】
少なくとも2種の化粧処置用の組成物を、請求項1〜9の何れか1項に記載の方法によって製造し、これら組成物を一緒に混合し、該混合物をケラチン物質に適用することを特徴とする、ケラチン物質を処置するための化粧学的方法。
【請求項１６】
化粧料組成物を包装するためのデバイスであって、少なくとも一つの壁によって境界が定められた、閉じたハウジングを含み、該少なくとも一つの壁は、少なくとも0.3 MPa (3 bar)なる圧力下で、流体に対して、少なくとも部分的に透過性であり、該組成物が少なくとも1種のエステルを、固体又はペースト状態で含むことを特徴とする、上記デバイス。
【請求項１７】
該ハウジングが、二枚の封止されたシートによって、その境界が定められている、請求項16記載のデバイス。
【請求項１８】
該ハウジングが、蓋によって閉じられたトレイにより、その境界が定められている、請求項16記載のデバイス。
【請求項１９】
請求項1〜9の何れか1項に記載の方法によって調製した組成物の、ケラチン物質の化粧学的な処置における使用。
【請求項２０】
毛髪又は皮膚のコンディショニングのための、請求項19記載の使用。